(57)【特許請求の範囲】
【請求項１】
所定のクレイドルに設置されるようになされ、当該クレイドルを介してサーバとの間で電子メールの送受信を行なう携帯情報端末装置において、
上記電子メールの内容を表示する表示手段と、
上記サーバから自分宛となっている上記電子メールのメールヘッダを受信して取得するメールヘッダ取得手段と、
上記メールヘッダに記述されている当該電子メールの形式を示す第１形式情報に基づいてメール本文だけで構成されているか、当該メール本文に添付ファイルが付加されているかを判別する判別手段と、
上記電子メールが上記メール本文だけで構成されていることを判別したときは上記電子メールの転送要求を上記サーバに対して行なわないが、上記添付ファイルが付加されていることを判別したときは上記電子メールの転送要求を上記サーバに対して行なう電子メール転送要求手段と、
上記サーバから上記転送要求に応じて送られてくる上記電子メールを受信する電子メール受信手段と、
上記電子メールのうちサブメッセージヘッダに記述されている上記添付ファイルの形式を示す第２形式情報の拡張子を検出する検出手段と、
上記第２形式情報の拡張子を検出した場合にのみ上記添付ファイルの静止画像を自動再生して上記静止画像を上記表示部に表示する自動再生手段と
を具える携帯情報端末装置。
【請求項２】
所定のクレイドルに設置されるようになされ、当該クレイドルを介してサーバとの間で電子メールの送受信を行なう携帯情報端末装置における情報処理方法において、
上記サーバから自分宛となっている上記電子メールのメールヘッダを受信して取得するメールヘッダ取得ステップと、
上記メールヘッダに記述されている当該電子メールの形式を示す第１形式情報に基づいてメール本文だけで構成されているか、当該メール本文に添付ファイルが付加されているかを判別する判別ステップと、
上記電子メールが上記メール本文だけで構成されていることを判別したときは上記電子メールの転送要求を上記サーバに対して行なわないが、上記添付ファイルが付加されていることを判別したときは上記電子メールの転送要求を上記サーバに対して行なう電子メール転送要求手段と、
上記サーバから上記転送要求に応じて送られてくる上記電子メールを受信する電子メール受信ステップと、
上記電子メールのうちサブメッセージヘッダに記述されている上記添付ファイルの形式を示す第２形式情報の拡張子を検出する検出ステップと、
上記第２形式情報の拡張子を検出した場合にのみ上記添付ファイルの静止画像を自動再生して上記静止画像を上記表示部に表示する自動再生ステップと
を有する情報処理方法。
【発明の詳細な説明】
【０００１】
【発明の属する技術分野】
本発明は携帯情報端末装置、情報処理方法及び媒体に関し、例えば携帯して持ち運ぶＰＤＡ(Personal Digital Assistant)に適用して好適なものである。
【０００２】
【従来の技術】
従来、携帯情報端末装置として例えばＰＤＡにおいては携帯電話機やＰＨＳ(Personal Handy-Phone System) 等の送受信手段を介してメールサーバにアクセスし、当該メールサーバのメールスプールに蓄積された自分宛の電子メールを受信するようになされている。
【０００３】
【発明が解決しようとする課題】
ところでかかる構成の携帯情報端末装置（ＰＤＡ）においては、受信した電子メールに添付ファイルが存在する場合、電子メールソフトウェアに基づいて「添付ファイルが有ります」のようなメッセージを表示するが、ユーザによって添付ファイルを開く指示が与えられない限り添付ファイルの内容を表示部に表示することはなく、ユーザに対して煩雑な操作を強いるという問題があった。
【０００４】
本発明は以上の点を考慮してなされたもので、自分宛に送られてきたデータの添付ファイルを自動的に再生し得る操作性の優れた携帯情報端末装置、当該携帯情報端末装置を用いた情報処理方法及び当該情報処理方法を携帯情報端末装置に実行させる媒体を提案しようとするものである。
【０００５】
【課題を解決するための手段】
かかる課題を解決するため本発明においては、所定のクレイドルに設置されるようになされ、当該クレイドルを介してサーバとの間で電子メールの送受信を行なう携帯情報端末装置において、電子メールの内容を表示する表示手段と、サーバから自分宛となっている電子メールのメールヘッダを受信して取得するメールヘッダ取得手段と、メールヘッダに記述されている当該電子メールの形式を示す第１形式情報に基づいてメール本文だけで構成されているか、当該メール本文に添付ファイルが付加されているかを判別する判別手段と、電子メールがメール本文だけで構成されていることを判別したときは電子メールの転送要求をサーバに対して行なわないが、添付ファイルが付加されていることを判別したときは電子メールの転送要求をサーバに対して行なう電子メール転送要求手段と、サーバから転送要求に応じて送られてくる電子メールを受信する電子メール受信手段と、電子メールのうちサブメッセージヘッダに記述されている添付ファイルの形式を示す第２形式情報の拡張子を検出する検出手段と、第２形式情報の拡張子を検出した場合にのみ添付ファイルの静止画像を自動再生して静止画像を表示部に表示する自動再生手段とを設けるようにする。
【０００６】
これにより携帯情報端末装置は、クレイドルに設置された状態で、メールヘッダの第１形式情報に基づいて電子メールに添付ファイルが付加されていることを判別したときサーバから当該電子メールを受信し、サブメッセージヘッダの第２形式情報の拡張子を検出したときのみ添付ファイルの静止画像を自動再生し、その静止画像を表示部に表示することができるので、添付ファイルの静止画像を全て表示するのではなく、特定の拡張子が付された静止画像だけを選択して表示することができ、その結果クレイドルに設置された携帯情報端末装置を写真立てに見立てて、その表示部を介して映し出された特定の静止画像だけをユーザに目視確認させることができる。
【０００７】
また本発明においては、所定のクレイドルに設置されるようになされ、当該クレイドルを介してサーバとの間で電子メールの送受信を行なう携帯情報端末装置における情報処理方法において、サーバから自分宛となっている電子メールのメールヘッダを受信して取得するメールヘッダ取得ステップと、メールヘッダに記述されている当該電子メールの形式を示す第１形式情報に基づいてメール本文だけで構成されているか、当該メール本文に添付ファイルが付加されているかを判別する判別ステップと、電子メールがメール本文だけで構成されていることを判別したときは電子メールの転送要求をサーバに対して行なわないが、添付ファイルが付加されていることを判別したときは電子メールの転送要求をサーバに対して行なう電子メール転送要求手段と、サーバから転送要求に応じて送られてくる電子メールを受信する電子メール受信ステップと、電子メールのうちサブメッセージヘッダに記述されている添付ファイルの形式を示す第２形式情報の拡張子を検出する検出ステップと、第２形式情報の拡張子を検出した場合にのみ添付ファイルの静止画像を自動再生して静止画像を表示部に表示する自動再生ステップとを有するようにする。
【０００８】
これにより携帯情報端末装置は、クレイドルに設置された状態で、メールヘッダの第１形式情報に基づいて電子メールに添付ファイルが付加されていることを判別したときサーバから当該電子メールを受信し、サブメッセージヘッダの第２形式情報の拡張子を検出したときのみ添付ファイルの静止画像を自動再生し、その静止画像を表示部に表示することができるので、添付ファイルの静止画像を全て表示するのではなく、特定の拡張子が付された静止画像だけを選択して表示することができ、その結果クレイドルに設置された携帯情報端末装置を写真立てに見立てて、その表示部を介して映し出された特定の静止画像だけをユーザに目視確認させることができる。
【００１１】
【発明の実施の形態】
以下図面について、本発明の一実施の形態を詳述する。
【００１２】
（１）携帯情報端末通信システムの全体構成
図１において、１は全体として携帯情報端末通信システムを示し、携帯情報端末装置２が充電及びデータ授受用の台座（以下、これをクレイドルと呼ぶ）３にセットされ、当該クレイドル３からＲＳ２３２Ｃ(Recommended Standard 232C) 規格のシリアルケーブル４を介してＬＡＮ(Local Area Network)５に接続されている。
【００１３】
ここでクレイドル３は、携帯情報端末装置２と当接する部分に図示しない充電端子及びデータ端子が設けられており、携帯情報端末装置２のバッテリ（図示せず）を充電端子を介して充電し得ると共に、当該データ端子からシリアルケーブル４及びＬＡＮ５を経由して携帯情報端末専用サーバ６（以下、これを単に専用サーバと呼ぶ）とアクセスし得るようになされている。
【００１４】
専用サーバ６は、携帯情報端末装置２から要求されたホームページの転送及びメールスプール６Ａに蓄積される電子メールの管理、及び携帯情報端末装置２から転送された静止画像に対する種々の画像加工処理を実行するようになされている。
【００１５】
ＬＡＮ５にはパーソナルコンピュータ７が接続されており、当該パーソナルコンピュータ７と携帯情報端末装置２との間で通話状態が設定されると、パーソナルコンピュータ７はＬＡＮ５からシリアルケーブル４及びクレイドル３のデータ端子を介してユーザ所望の制御命令を携帯情報端末装置２に送信することにより、当該携帯情報端末装置２を遠隔操作し得るようになされている。
【００１６】
また、ＬＡＮ５にはゲートウェイサーバ８が接続されており、専用サーバ６及びパーソナルコンピュータ７はゲートウェイサーバ８を介してインターネット９に接続されている外部端末（図示せず）との間でデータ通信し得るようになされている。
【００１７】
携帯情報端末装置２は、正面ほぼ中央に液晶ディスプレイ（ＬＣＤ(Liquid Crystal Display)）でなる表示部１１が設けられ、正面上部に設けられたＣＣＤ(Charge Coupled Device) カメラ１２によって撮像された静止画像又は動画像を表示し、又はＬＡＮ５を介して送られてきた電子メールやホームページを表示する。なお表示部１１は、メモや電子メールを入力する際のデータ入力モード時にはタッチペン等の入力手段を介して手書き入力するためのタッチパネル（図示せず）となる。
【００１８】
ＣＣＤカメラ１２の右隣部分には、マイクロフォン１３が設けられており、ユーザの音声を集音する。ＣＣＤカメラ１２の左隣部分には、スピーカ１４が内蔵されており、上面左端部に設けられたアンテナ１８を介して着信があったときの着信音や、ホームページの音声等を出力する。
【００１９】
因みに携帯情報端末装置２は、アンテナ１８に接続された無線通信ユニット（図示せず）を内部に有し、通常の携帯電話機やＰＨＳ(Personal Handy-Phone System) のように無線通信することもできる。
【００２０】
また携帯情報端末装置２は、右側面上部にＩｒＤＡ(Infrared Data Association) 規格準拠の赤外線ポート１５が設けられており、他の携帯情報端末装置２やパーソナルコンピュータ７に対して例えばＣＣＤカメラ１２によって撮像した静止画像データを赤外線ポート１５を介して転送し得ると共に、他の携帯情報端末装置２やパーソナルコンピュータ７から転送される静止画像データを赤外線ポート１５を介して受信し得るようになされている。
【００２１】
なお携帯情報端末装置２は、左側面上部にも赤外線ポート１５（図示せず）が設けられており、使用条件に応じて左右の赤外線ポート１５を使い分けるようになされている。
【００２２】
赤外線ポート１５の下方には、メモリスティック（商標）１６用のメモリスティックスロット１７が設けられており、メモリスティック１６がメモリスティックスロット１７に装着されると、携帯情報端末装置２はメモリスティック１６を増設フラッシュメモリとして使用し得るようになされている。
【００２３】
ここでメモリスティック１６は、本願出願人であるソニー株式会社によって開発されたフラッシュメモリカードの一種である。このメモリスティック１６は、縦21.5×横50×厚さ2.8[mm] の小型・薄型形状のプラスチックケース内に電気的に書き換えや消去可能な不揮発性メモリであるＥＥＰＲＯＭ(Electrically Erasable and Programmable Read Only Memory) の一種であるフラッシュメモリ素子を格納したものであり、１０ピン端子を介して画像や音声、音楽等の各種データの書き込み及び読み出しが可能となっている。
【００２４】
またメモリスティック１６は、使用する機器で互換性を確保することができる独自のシリアルプロトコルを採用していることにより、大容量化などによる内蔵フラッシュメモリの使用変更に対しても対応し得るようになされている。さらにメモリスティック１６は、最大書込速度1.5[MB/S] 、最大読出速度2.45[MB/S]の高速性能を実現すると共に、誤消去防止スイッチによって誤消去を防止して高い信頼性を確保している。
【００２５】
（１−１）携帯情報端末装置の回路構成
次に、携帯情報端末装置２の回路構成について図２を用いて説明する。携帯情報端末装置２は、大きく分けて制御ユニット２１と無線通信ユニット２２とから構成されている。
【００２６】
制御ユニット２１は、ＣＰＵ(Central Processing Unit) でなるシステムコントロール部２３によって制御ユニット２１全体及び無線通信ユニット２２を制御しており、当該システムコントロール部２３には、ＲＯＭ(Read Only Memory)２４、ＤＲＡＭ(Dynamic Random Access Memory)２５、書き換え可能な不揮発性メモリでなるフラッシュメモリ２６及びメモリスティック１６を装着するためのメモリスティックスロット１７が接続されている。
【００２７】
ここでＤＲＡＭ２５は、ＲＯＭ２４から読み出した所定のプログラムやアプリケーションソフトウェアをロードして所定の処理を実行するためのワークエリアとして用いられる。
【００２８】
ＲＯＭ２４は、無線通信ユニット２２による無線通信を制御するための無線通信制御プログラム、電子メールの送受信や電子メールに関する他の種々の処理を実行する電子メールプログラム、ＨＴＭＬ(Hyper Text Markup Language)ファイルを解析してホームページを表示するためのＷＷＷ(World Wide Web)ブラウザ、表示部１１を表示制御するための表示制御プログラム、メニュー画面を表示するメニュープログラム等の種々のアプリケーションソフトウェアが記憶されており、必要に応じて読み出されてＤＲＡＭ２５にロードされる。
【００２９】
またシステムコントロール部２３は、ＲＯＭ２４から読み出した表示制御プログラムや種々のアプリケーションソフトウェア基づいてＬＣＤドライバ２７を駆動することにより、ＬＣＤでなる表示部１１にメニュー画面や受信した電子メール、ホームページ等を表示させると共に、スピーカ１４を介して音声を出力する。
【００３０】
さらにシステムコントロール部２３は、ＣＣＤカメラ１２によって撮像された静止画像データ、マイクロフォン１３によって集音した音声データ、表示部１１のタッチパネル２８上でタッチペンやタッチキーの操作によって作成された電子メール等の入力データを送受信データ処理部３１によって所定のデータ処理を施した後、これを送信データとしてデータ送受信インターフェース３２又はモデム２９へ送出する。
【００３１】
ここで送受信データ処理部３１は、携帯情報端末装置２がクレイドル３にセットされている場合には送信データをモデム２９へ送出し、当該モデム２９を介してクレイドル３のデータ端子３Ａから専用サーバ６やパーソナルコンピュータ７へ送信する。
【００３２】
これに対して携帯情報端末装置２がクレイドル３にセットされていない場合、送受信データ処理部３１は無線通信又は赤外線通信によってデータ送信するためにデータ送受信インターフェース３２へ送出する。
【００３３】
データ送受信インターフェース３２は、送信データを無線通信し得るデータ形式に変換し、これを無線通信ユニット２２に送出する。無線通信ユニット２２は、送信データに基づいて所定の変調処理（例えばＱＰＳＫ(Quadrature Phase Shift Keying) 変調処理）を施した後に所定の周波数帯域に周波数変換して送信信号を生成し、これを所定電力に増幅した後にアンテナ１８を介して所定のアクセスポイント（図示せず）へ送信し、当該アクセスポイントを経由してＬＡＮ５（図１）から専用サーバ６やパーソナルコンピュータ７へ送信する。
【００３４】
（１−２）携帯情報端末装置における添付ファイルの自動再生処理
実際上携帯情報端末装置２においては、システムコントロール部２３が電子メールプログラムに基づいて自分宛の電子メールがメールスプール６Ａに蓄積されているか否かを専用サーバ６に対して問い合わせ、メールスプール６Ａに自分宛の電子メールが存在していた場合、その電子メールのメールヘッダの転送要求を行う。
【００３５】
ここでＳＭＴＰ(Simple Mail Transfer Protocol) に従った電子メールにおけるメールヘッダの具体例を図３〜図７に表示する。図３においては、添付ファイルが付加されていない電子メールのデータ内容であり、大きく分けてメールヘッダとメール本文とから構成されている。
【００３６】
メール本文には実際の自分宛のメール内容が表示されており、メールヘッダには送信時の年月日、曜日及び時刻や、発信者及び受信者のメールアドレス並びに送信されてきた電子メールの形式（タイプ）等が表示されている。
【００３７】
またメールヘッダには、「Content-Type: ……」と呼ばれる電子メールの形式を表す形式情報ＫＤ１が表示されている。ここで形式情報ＫＤ１とは、この電子メールのコンテンツタイプを示しており、メールヘッダを除いた部分が例えばテキストデータだけで構成されているか、テキストデータと何らかの添付ファイルとで構成されているか等である。
【００３８】
この場合メールヘッダの形式情報ＫＤ１には、「Content-Type: text/plain；」と表示されており、これは電子メールがテキストデータでなるメール本文だけで構成されていることを示している。
【００３９】
また図４及び図５に示すように、添付ファイルが付加されている電子メールのデータ内容では、メールヘッダの形式情報ＫＤ１が「Content-Type: ｍultipart/mixed；」と表示されており、この電子メールがテキストデータでなるメール本文と、メール本文とは異なる形式の添付ファイルとによって構成されていることを示している。
【００４０】
またメッセージヘッダ（図５）には、「Content-Type: text/plain；」と表示されており、メッセージヘッダに続いてテキストデータでなるメール本文が表示されている。
【００４１】
そしてサブメッセージヘッダには、形式情報ＫＤ２が「Content-Type:image/pict;  name＝"3shot.pct" 」と表示され、形式情報ＫＤ２に「.pct」の拡張子が付加されていることにより、添付ファイルの内容が静止画像データであることを示している。
【００４２】
ここで添付ファイルの内容である静止画像データは、ＭＩＭＥ(Multipurpose Internet Mail Extensions) と呼ばれる方式のキャラクタコードに変換された状態でサブメッセージヘッダに続いて表示されている。
【００４３】
さらに図６に示すように、添付ファイルが付加されている電子メールのデータ内容では、メールヘッダの形式情報ＫＤ１が「Content-Type: ｍultipart/mixed；」と表示されていると共に、サブメッセージヘッダには形式情報ＫＤ２が「Content-Type:image/jpeg;name＝"3shot.jpg" 」と表示されており、形式情報ＫＤ２に「.jpg」の拡張子が付加されていることにより、添付ファイルの内容がＪＰＥＧ(Joint Photographic Expert Group) 方式で画像圧縮された静止画像データであることを示している。
【００４４】
このようなデータ構成でなるメールヘッダの転送要求を受けた専用サーバ６は、転送要求を行った携帯情報端末装置２に対して電子メールのメールヘッダだけを送信する。
【００４５】
携帯情報端末装置２は、クレイドル３にセットされている場合にはデータ端子３Ａを介してメールヘッダを受信し、送受信データ処理部３１を介してシステムコントロール部２３に送出する。また携帯情報端末装置２は、クレイドル３にセットされていない場合にはアンテナ１８を介してメールヘッダを受信し、送受信データ処理部３１を介してシステムコントロール部２３に送出する。
【００４６】
システムコントロール部２３は、電子メールプログラムに基づいてメールヘッダを参照し、形式情報ＫＤ１が「Content-Type: ｍultipart/mixed；」であった場合に、添付ファイルが存在することを認識し、添付ファイルの存在する電子メールの転送要求を専用サーバ６に対して行う。
【００４７】
専用サーバ６は、転送要求に基づいて電子メールを携帯情報端末装置２に対して送信する。携帯情報端末装置２は、電子メールを受信し、送受信データ処理部３１によりデータ処理を施した後、システムコントロール部２３によってサブメッセージヘッダの形式情報ＫＤ２を参照して「.pct」の拡張子を検出すると、添付ファイルの静止画像データを再生して表示部１１に静止画像を表示すると共に、静止画像データをフラッシュメモリ２６に格納する。
【００４８】
この場合電子メールプログラムでは、形式情報ＫＤ１が「Content-Type: ｍultipart/mixed；」で、形式情報ＫＤ２において「.pct」の拡張子を検出した場合にのみ、システムコントロール部２３の制御に基づいて専用サーバ６から受信した電子メールの添付ファイルを自動再生するようにプログラミングされている。
【００４９】
従ってシステムコントロール部２３は、形式情報ＫＤ１における「Content-Type: ｍultipart/mixed；」を検出しても形式情報ＫＤ２における「.jpg" 」の拡張子を検出した場合には、専用サーバ６から受信した電子メールの添付ファイルを自動再生することはない。
【００５０】
続いて携帯情報端末装置２による添付ファイルの自動再生処理手順を図８のフローチャートを用いて説明する。携帯情報端末装置２のシステムコントロール部２３は、ＲＴ１の開始ステップから入ってステップＳＰ１に移る。
【００５１】
ステップＳＰ１においてシステムコントロール部２３は、転送要求を行った電子メールのメールヘッダを専用サーバ６から受信して取り込み、次のステップＳＰ２に移る。ステップＳＰ２においてシステムコントロール部２３は、メールヘッダを参照して形式情報ＫＤ１が「Content-Type: ｍultipart/mixed；」であるか否かを判定する。
【００５２】
ここで否定結果が得られると、このことはメールヘッダの形式情報ＫＤ１が「Content-Type: text/plain；」であることを表しており、このときシステムコントロール部２３は、テキストデータのメール本文だけで添付ファイルが存在しないことを認識し、次のステップＳＰ７に移って次のユーザ命令を待ち受けて処理を終了する。
【００５３】
これに対してステップＳＰ２において肯定結果が得られると、このことはメールヘッダの形式情報ＫＤ１が「Content-Type: ｍultipart/mixed；」と表示されていることを表しており、このときシステムコントロール部２３は、添付ファイルが存在しているので次のステップＳＰ３に移る。
【００５４】
ステップＳＰ３においてシステムコントロール部２３は、添付ファイルが存在しない電子メールについては転送要求をせずに専用サーバ６のメールスプール６Ａに残しておき、添付ファイルが存在する電子メールについてのみ専用サーバ６にから取り込み、次のステップＳＰ４に移る。
【００５５】
ステップＳＰ４においてシステムコントロール部２３は、取り込んだ電子メールのサブメッセージヘッダを参照し、サブメッセージヘッダの形式情報ＫＤ２における拡張子を取り出して、次のステップＳＰ５に移る。
【００５６】
ステップＳＰ５においてシステムコントロール部２３は、取り出した拡張子が予め電子メールプログラムによって指定されたもの（この場合「.pct」）であるか否かを判定する。ここで否定結果が得られると、このことは電子メールプログラムによって予め指定された拡張子「.pct」ではないことを表しており、このときシステムコントロール部２３はステップＳＰ７に移って次のユーザ命令を待ち受けて処理を終了する。
【００５７】
これに対してステップＳＰ５において肯定結果が得られると、このことは電子メールプログラムによって予め指定された拡張子「.pct」であることを表しており、このときシステムコントロール部２３はステップＳＰ６に移る。
【００５８】
ステップＳＰ６においてシステムコントロール部２３は、添付ファイルの静止画像データを再生して表示部１１に静止画像を表示し、次のステップＳＰ７に移って次のユーザ命令を待ち受ける待ち受け状態に移行した後、添付ファイルの自動再生処理を全て終了する。
【００５９】
（２）実施の形態における動作及び効果
以上の構成において、携帯情報端末装置２のシステムコントロール部２３は電子メールプログラムに基づいて動作し、専用サーバ６から受信したメールヘッダの形式情報ＫＤ１に基づいて添付ファイルの存在する電子メールだけを専用サーバ６から取り込む。
【００６０】
そしてシステムコントロール部２３は、取り込んだ電子メールのサブメッセージヘッダにおける形式情報ＫＤ２の拡張子を参照し、当該拡張子が予め自動再生するように設定されたものであった場合に添付ファイルを自動再生して表示部１１に表示すると共に、止画像データをフラッシュメモリ２６に格納する。
【００６１】
これにより携帯情報端末装置２は、専用サーバ６から添付ファイルの存在する電子メールを取り込んだ後、添付ファイルを開く指示がユーザが与えられること無く添付ファイルを自動的に再生して表示部１１に静止画像を表示することができる。
【００６２】
従って、携帯情報端末装置２がクレイドル３にセットされていた場合には表示部１１に静止画像が表示されるので、ユーザはあたかも写真立てのように表示部１１に表示された静止画像を見ることができる。
【００６３】
またユーザが携帯情報端末装置２の近傍に存在していない場合でも、パーソナルコンピュータ７からＬＡＮ５を介して携帯情報端末装置２のシステムコントロール部２３に制御命令を供給することにより、当該システムコントロール部２３を制御して添付ファイルの自動再生処理を電子メールプログラムに基づいて実行させることができる。
【００６４】
以上の構成によれば、携帯情報端末装置２は自動再生するように設定された添付ファイルの存在する電子メールを受信したときには、添付ファイルを開くための操作なしに電子メールプログラムに基づいて添付ファイルを自動再生することができる。
【００６５】
（３）他の実施の形態
なお上述の実施の形態においては、データ取得手段としてのモデム２９又は無線通信ユニット２２によってデータとしての電子メールを専用サーバ６から取り込み、検出手段としてのシステムコントロール部２３によりメールヘッダの形式情報ＫＤ１が「Content-Type: ｍultipart/mixed；」であり、かつサブメッセージヘッダの形式情報ＫＤ２の中から予め指定された拡張子「.pct」を検出したとき、自動再生手段としてのシステムコントロール部２３により添付ファイルを自動再生して表示手段としての表示部１１に静止画像を表示するようにした場合について述べたが、本発明はこれに限らず、メールヘッダを参照した段階で添付ファイルが存在するか否かを判定するだけではなく、自動再生設定された添付ファイルであるか否かを示す拡張子をメールヘッダにも付加し、当該拡張子に基づいて自動再生設定された添付ファイルがないときには専用サーバ６から電子メールを取り込まないようにしても良い。これにより自動再生する必要のない添付ファイルの電子メールを無駄にダウンロードすることを防止して、通信時間を短縮することができる。
【００６６】
また上述の実施の形態においては、添付ファイルのデータ内容として静止画像データを用いるようにした場合について述べたが、本発明はこれに限らず、添付ファイルのデータ内容として音楽データや音声データ又は動画像データを用いるようにしても良い。この場合、ユーザは携帯情報端末装置２で受信した電子メールを開いて読みながら自動再生された添付ファイルの音楽を音声出力手段としてのスピーカ１４から出力されるバックグランドミュージックとして聞くことができ、又は表示部１１に表示された動画像を楽しむことができる。
【００６７】
例えば、ある送信者が常に同一の音楽データでなる音楽ファイルを電子メールの添付ファイルとして送信している場合には、携帯情報端末装置２で電子メールを受信したときに必ず同一の音楽が再生されることになるので、受信したユーザは自動再生された音楽を聞くだけで送信者が誰であるかを容易に認識することができる。
【００６８】
さらに上述の実施の形態においては、媒体としての電子メールプログラムが携帯情報端末装置２のＲＯＭ２４からロードされて提供されるようにした場合について述べたが、本発明はこれに限らず、ＣＤ−ＲＯＭ(Compact Disc-Read Only Memory) 、ＤＶＤ(Digital Video Disc)、メモリスティック１６等のパッケージメディアや、一時的又は永続的に格納される半導体メモリ、磁気ディスク、並びにローカルエリアネットワーク、インターネット、ディジタル衛星放送等の無線通信媒体、さらにルータやモデム等の各種通信インターフェースによって提供されるようにしても良い。
【００６９】
さらに上述の実施の形態においては、携帯情報端末装置２が専用サーバ６と電子メールの送受信を行うようにした場合について述べたが、本発明はこれに限らず、携帯情報端末装置専用ではないサーバと電子メールの送受信を行うようにしても良い。
【００７０】
さらに上述の実施の形態においては、記述子としての拡張子「.pct」を検出したとき添付ファイルを自動再生するようにした場合について述べたが、本発明はこれに限らず、「.jpg」を検出したとき添付ファイルを自動再生するようにしたり、又は添付ファイルの内容を認識し得れば拡張子以外の他の種々の記述子を用いて自動再生するようにしても良い。
【００７１】
【発明の効果】
上述のように本発明によれば、携帯情報端末装置はクレイドルに設置された状態で、メールヘッダの第１形式情報に基づいて電子メールに添付ファイルが付加されていることを判別したときサーバから当該電子メールを受信し、サブメッセージヘッダの第２形式情報の拡張子を検出したときのみ添付ファイルの静止画像を自動再生し、その静止画像を表示部に表示することができるので、添付ファイルの静止画像を全て表示するのではなく、特定の拡張子が付された静止画像だけを選択して表示することができ、その結果クレイドルに設置された携帯情報端末装置を写真立てに見立てて、その表示部を介して映し出された特定の静止画像だけをユーザに目視確認させることができる。
【００７２】
また本発明の情報処理方法によれば、携帯情報端末装置はクレイドルに設置された状態で、メールヘッダの第１形式情報に基づいて電子メールに添付ファイルが付加されていることを判別したときサーバから当該電子メールを受信し、サブメッセージヘッダの第２形式情報の拡張子を検出したときのみ添付ファイルの静止画像を自動再生し、その静止画像を表示部に表示することができるので、添付ファイルの静止画像を全て表示するのではなく、特定の拡張子が付された静止画像だけを選択して表示することができ、その結果クレイドルに設置された携帯情報端末装置を写真立てに見立てて、その表示部を介して映し出された特定の静止画像だけをユーザに目視確認させることができる。
【図面の簡単な説明】
【図１】本発明による携帯情報端末通信システムの全体構成を示す略線概略図である。
【図２】携帯情報端末装置の回路構成を示すブロック図である。
【図３】添付ファイルが付加されていない電子メールのデータ内容を示すデータ構成図である。
【図４】添付ファイルが付加されている電子メールのデータ内容（１）−１を示すデータ構成図である。
【図５】添付ファイルが付加されている電子メールのデータ内容（１）−２を示すデータ構成図である。
【図６】添付ファイルが付加されている電子メールのデータ内容（２）−１を示すデータ構成図である。
【図７】添付ファイルが付加されている電子メールのデータ内容（２）−２を示すデータ構成図である。
【図８】添付ファイルの自動再生処理手順を示すフローチャートである。
【符号の説明】
１……携帯情報端末通信システム、２……携帯情報端末装置、３……クレイドル、５……ＬＡＮ、６……専用サーバ、１１……表示部、１２……ＣＣＤカメラ１４……スピーカ、２３……システムコントロール部、２４……ＲＯＭ、２５……ＤＲＡＭ、２６……フラッシュメモリ、２７……ＬＣＤドライバ３１……送受信データ処理部。
【図１】
0004210880.tif 000002
【図２】
0004210880.tif 000003
【図３】
0004210880.tif 000004
【図４】
0004210880.tif 000005
【図５】
0004210880.tif 000006
【図６】
0004210880.tif 000007
【図７】
0004210880.tif 000008
【図８】
0004210880.tif 000009